(57)【特許請求の範囲】
【請求項１】
壁にベランダに通ずる開口部が設けられ、この開口部の壁端面の室外面より引っ込んだ位置にドア枠または窓枠（以後枠と称する）が取り付けられ、この枠の下側を跨いでベランダに出入するベランダの出入口の構造であって、前記ベランダには、ベランダの周囲の垂直面に取り付けられた立上部を有する防水材が床面に取り付けられ、前記壁には防水材の立上部より上に外壁材が取り付けられ、前記開口部は、防水材の立上部の上部を切欠し、下部をこの切欠した部分に挿入した状態に設けられ、この開口部の下側では、下側の枠より外側の壁端面に、下側の枠を延長させた状態にしてカバー材が取り付けられ、開口部の横側では、外壁材が枠の外側を覆った状態に延長され、この枠の外側面を覆っている外壁材と開口部の下部に設けられているカバー材との間の枠の外側に枠被覆材が取り付けられていることを特徴とするベランダの出入口の構造。
【請求項２】
前記枠被覆材がカバー材の側方に設けられた取付板に、表面を開口部の内側に向けて取り付けられた化粧板と、この化粧板の背後に水密にシールするシール材とからなることを特徴とする請求項１記載のベランダの出入口の構造。
【発明の詳細な説明】
【０００１】
【発明の属する技術分野】
本発明は、ベランダの出入口の構造に関する。
【０００２】
【従来の技術】
ベランダは壁の外側に取り付けられ、この壁にベランダに通ずる開口部を設け、この開口部に窓やドアを取り付け、この窓やドアから出入するようになっている。
このベランダの出入口の構造としては種々ある。
【０００３】
このベランダの出入口の構造の一つとして、特公平３−６２９０号公報に記載されている構造が知られている。この構造は次のようになっている。即ち、ベランダの床面に軟質塩化ビニル樹脂製のシート等の防水シートや金属板等の防水板等の防水材を設けて、雨水が下方に漏れないようにしている。この防水材は、ベランダの周囲からも雨水が漏れなくするために、ベランダの周囲の垂直面に防水材を取り付けた立上部を備えている。そのために、ベランダを取り付けた壁の屋外面にも防水材の立上部が設けられている。そして、ベランダに出入する開口部をこの防水材の立上部の上に設け、この開口部に窓枠を取り付けた構造となっている。
【０００４】
又、この開口部に窓やドア等を設ける場合、コンクリート製の建物等のように厚い壁を有する建物では、ドア枠や窓枠等の枠を壁端面の室内側に合わせて取り付けるために、この枠は壁端面の室外側より引っ込んだ状態に取り付けられている。
このように枠が壁端面の室内側より引っ込んだ状態に取り付けられていると、枠壁との境界の防水工事が困難で、枠の横側や下側と壁との隙間から雨水が漏れ易いし、枠と壁との境界が見えると見苦しいので、通常、枠の外側を覆った状態に外壁材を延長させていることが多い。
【０００５】
【発明が解決しようとする課題】
しかし、枠が外壁材の外側面より室内側に引っ込んだ状態に取り付けられていると、出入する際に足が当たって開口部の下側の壁端面が擦り切れたりして傷み易いという問題がある。
又、防水材の立上部を高くした方が雨水が漏れ難く好ましいが、この立上部を高くすると、この上に設ける開口部が高くなり、ベランダに出入し難くなり不便である。
【０００６】
そこで、防水材の立上部の上部を切欠し、この切欠した部分に開口部の下部を挿入した状態に開口部を設けて、開口部を低くすることが考えられるが、このようにすると、上記のように、枠の外側を覆った状態に外壁材を延長させると、この延長した外壁材は切欠した部分の防水材に接している横側や下側の枠の外側を覆うことができず、この部分の枠と防水材との間隙から雨水が漏れ易いし、この枠と防水材との境界が見えて見苦しいという問題がある。
【０００７】
そこで、本発明の目的は、開口部の下側の壁の端面が擦り切れることがなく、出入口から出入し易く、しかも、枠の周囲から雨水が漏れず、この部分が美麗なベランダの出入口の構造を提供することである。
【０００８】
【課題を解決するための手段】
本発明は上記目的を達成するためになしたものであって、請求項１記載の発明は、壁にベランダに通ずる開口部が設けられ、この開口部の壁端面の室外面より引っ込んだ位置に枠が取り付けられ、この枠の下側を跨いでベランダに出入するベランダの出入口の構造であって、前記ベランダには、ベランダの周囲の垂直面に取り付けられた立上部を有する防水材が床面に取り付けられ、前記壁には防水材の立上部より上に外壁材が取り付けられ、前記開口部は、防水材の立上部の上部を切欠し、下部をこの切欠した部分に挿入した状態に設けられ、この開口部の下側では、下側の枠より外側の壁端面に、下側の枠を延長させた状態にしてカバー材が取り付けられ、開口部の横側では、外壁材が枠の外側を覆った状態に延長され、この枠の外側面を覆っている外壁材と開口部の下部に設けられているカバー材との間の枠の外側に枠被覆材が取り付けられているものである。
【０００９】
請求項２記載の発明は、請求項１記載の発明に係り、前記枠被覆材がカバー材の側方に設けられた取付板に、表面を開口部の内側に向けて取り付けられた化粧板と、この化粧板の背後に水密にシールするシール材とからなるものである。
【００１０】
（作  用）
請求項１記載の発明では、開口部は防水材の立上部の上部を切欠し、下部をこの切欠した部分に挿入した状態に設けられているから、雨水が漏れないように防水材の立上部を壁に高く取り付けても、開口部を低くすることができ、開口部から出入し易い。
【００１１】
又、開口部の下側では、下側の枠より外側の壁端面に、下側の枠を延長させた状態にしてカバー材が取り付けられているから、開口部を通ってベランダに出入する際に下側の枠とカバー材の上を通ることになり、壁の端面が傷まないし、開口部の下側がカバー材で覆われて、開口部の下側の壁と枠との境界から雨水が漏れない。
【００１２】
又、開口部の横側では、外壁材が枠の外側を覆った状態に延長されているから、この外壁材と枠との間から雨水が漏れないし、枠と壁との境界が見えなくて美麗である。
更に、この枠の外側面を覆っている外壁材と開口部の下部に設けられているカバー材との間の枠の外側に枠被覆材が取り付けられているから、上記のように防水材の立上部の上部を切欠し、この切欠した部分に下部を挿入した状態にして開口部を設けることによって、外壁材とカバー材との間の防水材の立上部に接する枠の外側には外壁材がなく、そのために、この部分の枠の外側を外壁材で覆うことができなくなっても、この外壁材のない枠の外側は枠被覆材で覆われる。従って、この外壁材とカバー材との間から雨水が漏れないし、この枠と防水材との境界が見えなくて美麗である。
【００１３】
請求項２記載の発明は、枠被覆材がカバー材の側方に設けられた取付板に取り付けられた化粧板と、この化粧板の背後を水密にするシール材とからなるから、予め、カバー材の側方に取付板を枠の横側枠や建物の構造材等に取り付けていて、この取付板に化粧板を取り付け、この化粧板の背後をシール材でシールするだけでよく、施工し易い。
【００１４】
又、化粧板は表面を開口部の内側に向けて取り付けられているから、この開口部を通過する際には、化粧板の表面が見えるだけでこの部分が極めて美麗である。
又、化粧板の背後をシールするシール材があるから、この化粧板の背後がシールされ水密になっていて、ここから雨水が漏れない。
【００１５】
【発明の実施の形態】
次に、本発明の実施の形態を説明する。
図１〜図５は本発明の一実施例を示すもので、図１はベランダの斜視図、図２は図１のＡ部分の拡大斜視図、図３〜図５は施工方法を示すもので、図３は取付板をカバー材の側方に取り付けた状態を示す斜視図、図４は化粧板を取付板に取り付けた状態を示す斜視図、図５は化粧板の背後をシール材でシールした状態を示す斜視図である。
【００１６】
図１〜図５において、１はベランダであり、このベランダ１は、図１で示すように、壁２の外側に設けられ、この壁２には、ベランダ１に出入できるように、開口部２１が設けられている。
この開口部２１には、横側枠３１、上側枠、下側枠３３が矩形状に組み立てられた金属製のドア枠３が壁２の端面の室外面より引っ込んだ位置に取り付けられ、このドア枠３の横側枠３１に扉３４が回動可能に取り付けられている。又、この開口部２１の下側枠３３より外側の壁端面には、枠３の下側枠３３を延長させた状態にして木製のカバー材５が取り付けられ、この境界がシール材でシールされている。従って、この扉３４を回動させて開き、ドア枠３の下側枠３３とカバー材５を跨いでベランダに出入できるようになっている。尚、このカバー材５は、雨水が室外方向に流れるように、先端に行くに従って下方にやや傾斜している。
【００１７】
このように開口部２１の下側ではドア枠３の下側枠３３とカバー材５が取り付けられているので、開口部２１の下側の壁端面が露出してない。従って、ドア枠３の下側枠３３とカバー材５を跨いで出入しても、開口部２１の下側の壁端面が傷まないし、この開口部２１の下側の壁２と枠３との間から雨水が漏れなくなっている。
【００１８】
尚、横側枠３１には、金属製の取付板６１が室外方向に突出した状態に溶接されて取り付けられていてカバー材５はこの取付板６１に取り付けられている。
又、壁２の外側には外壁材２５が取り付けられていて、開口部２１の横側では、外壁材２５がドア枠３の横側枠３１まで延長されて、この横側枠３１の外側を覆っている。
【００１９】
このベランダ１には、床の水平面４８と垂直面４９に防水材４が取り付けられている。尚、この防水材４は、水平面４８に敷かれた軟質塩化ビニル樹脂製の防水シート４１の床部と、この床部の周囲に立設された垂直面４９に取り付けられた化粧鋼板からなる防水板４２の立上部とからなる。尚、防水シート４１の周囲が立上部の途中まで敷かれ、この上から防水板４２が取り付けられている。
従って、防水板４２の上に降った雨水はすべて防水シート４１の上に流れ、図示しない排水孔から竪樋を通って地上に導かれるようになっている。
【００２０】
そして、壁２には、防水材４の上部に外壁材２５が取り付けられていて、この防水材４と外側材２５との境界にはシール材２８と縁材４５が取り付けられて、この間から雨水が漏れなくなっている。
開口部２１は、図２に示すように、防水材４の立上部の防水板４２の上部を切欠し、この下部を切欠した部分に挿入した状態に設けられている。従って、縁材４５もこの部分で下方に折曲された状態になっている。
【００２１】
６は枠被覆材であり、この枠被覆材６は、横側枠３１の側方に設けられた取付板６１に取り付けられた化粧板６２と、この化粧板６２の背後を水密にシールするシール材６３とからなる。
そして、化粧板６２は横側枠３１に取り付けられている取付板６１に表面を開口部２１の内側に向けて取り付けられている。この化粧板６２の背後にシール材６３が塗布されて、この化粧板６２の周囲を水密にしている。このようにして、この枠被覆材６は、外壁材２５が取り付けられてない防水板４２と接する横側枠３１の外側（横側枠３１の外側面を覆っている外壁材２５と開口部２１の下部に設けられているカバー材５との間の横側枠３１の外側）を覆って、この部分から雨水が漏れなくすると同時に、この防水シート４１と横側枠３１との境界が見えなくなり美麗にするものである。
【００２２】
このように、開口部の横側では外壁材２５が横側枠３１の外側を覆っているし、外壁材２５が覆っていない防水板４２と接する横側枠３１の外側では、上方の横側枠３１の外側を覆っている外壁材２５と下側のカバー材５との間に枠被覆材６が取り付けられているし、又、開口部の下側ではカバー材５が取り付けられていて、枠３の周囲から雨水が漏れないし、枠の周囲が美麗になっている。
【００２３】
次に、このベランダの出入口の施工方法および作用について説明する。
先ず、壁２に開口部２１を設けたり、外壁材２５を取り付けたり、開口部２１の外側にベランダ１を取り付ける。
次に、図３に示すように、壁２に設けられた開口部２１に、取付板６１付き枠３を室内方向から嵌め込んで取り付け、カバー材５を開口部２１の下側の室外側に載せて、このカバー材５を取付板６１に取り付ける。
すると、カバー材５が下側枠３３を延長した状態に取り付けられる。
【００２４】
次に、図４に示すように、この取付板６１の側面に、表面を開口部２１の内側に向けて化粧板６２を取り付ける。
次に、ベランダ１の床の水平面４８に防水材４の防水シート４１を敷き、この防水シート４１の周囲を壁２等の垂直面４９まで延長させ、この防水シート４１の側縁部の上から、壁２等の垂直面４９に防水板４２を取り付け、この防水板４２と外壁材２５やカバー材５との間に縁材４５を取り付けたり、シール材２８を塗布する。
【００２５】
又、図５に示すように、化粧板６２の背後、即ち、取付板６１の室外側にシール材６３を塗布すると、枠３の取付工事が終了する。
尚、その後、この枠３の横側枠３１に扉３４を回動自在に取り付けると、ベランダ１の出入口の構造が完成する。
このようにして完成した開口部２１は、防水材４の立上部である防水板４２の上部を切欠し、下部をこの切欠した部分に挿入した状態に設けられているから、防水材４の立上部である防水板４２を壁２に高く取り付けても、開口部２１を低くすることができ、開口部２１から出入し易い。
【００２６】
又、この開口部２１の下側では、下側枠３３より外側の壁端面に、下側枠３３を延長させた状態にしてカバー材５を取り付けているから、ドア枠３を通ってベランダ１に出入する際に下側枠３３とカバー材５の上を通ることになり、開口部２１の下側の端面が傷まないし、開口部２１の下側がカバー材５で覆われて、開口部２１の下側の壁２と枠３との境界から雨水が漏れない。
又、開口部２１の横側では、外壁材２５が横側枠３１の外側を覆った状態に延長されているから、この外壁材２５と横側枠３１との間から雨水が漏れないし、横側枠３１と外壁材２５との境界が見えなくて美麗になる。
【００２７】
更に、この横側枠３１の外側面を覆っている外壁材２５と開口部２１の下部に設けられているカバー材５の間の横側枠３１の外側には、枠被覆材６が取り付けられているから、上記のように防水材４の立上部である防水板４２の上部を切欠し、この切欠した部分に下部を挿入した状態に開口部２１を設けることによって、この防水材４の防水板４２に接する横側枠３１の外側には外壁材２５がなく、そのため、横側枠３１の外側を外壁材２５で覆うことができなくなっても、この外壁材２５のない横側枠３１の外側は枠被覆材６で覆われ、この防水板４２と横側枠３１との間から雨水が漏れないし、この横側枠３１と防水板４２の境界が見えなくて美麗である。
【００２８】
尚、この枠被覆材６がカバー材５の側方に設けられた取付板６１に取り付けられた化粧板６２と、この化粧板６２の背後を水密にするシール材６３とからなるから、この取付板６１に化粧板６２を取り付け、この化粧板６２の背後をシール材６３でシールするだけでよく、施工し易い。
【００２９】
又、化粧板６２は表面を開口部２１の内側に向けて取り付けられているから、この開口部２１を通過する際には、化粧板６２の表面が見えるだけでこの部分が極めて美麗である。
又、化粧板６２の背後はシール材６３が取り付けられているから、この化粧板６２の背後が水密になっていて、ここから雨水が漏れない。
【００３０】
【発明の効果】
請求項１記載の発明は、開口部は防水材の立上部の上部を切欠し、下部をこの切欠した部分に挿入した状態に設けられているから、雨水が漏れないように防水材の立上部を壁に高く取り付けても、開口部を低くすることができ、開口部から出入し易い。
又、開口部の下側では、下側の枠より外側の壁端面に、下側の枠を延長させた状態にしてカバー材が取り付けられているから、壁の端面が傷まないし、開口部の下側の壁と枠との境界から雨水が漏れない。
【００３１】
又、開口部の横側では、外壁材が枠の外側を覆っているし、この枠の外側面を覆っている外壁材と開口部の下部に設けられているカバー材との間の枠の外側に枠被覆材が取り付けられているから、この外壁材と枠との間や、枠と防水材との間から雨水が漏れないし、枠と壁との境界が見えなく美麗である。
【００３２】
請求項２記載の発明は、枠被覆材がカバー材の側方に設けられた取付板に、表面を開口部の内側に向けて取り付けられた化粧板と、この化粧板の背後を水密にするシール材とからなるから、予め取付板をカバー材の側方に設けていて、この取付板に化粧板を取り付け、この化粧板の背後をシール材でシールするだけでよく、施工し易いし、この開口部を通過する際には、化粧板の表面が見えるだけでこの部分が極めて美麗であるし、この化粧板の背後は水密になり、ここから雨水が漏れることがない。
【図面の簡単な説明】
【図１】本発明の一実施例を示すもので、ベランダの斜視図である。
【図２】図１のＡ部分の拡大斜視図である。
【図３】施工方法を示すもので、取付板をカバー材の側方に取り付けた状態を示す斜視図である。
【図４】化粧板を取付板に取り付けた状態を示す斜視図である。
【図５】化粧板の背後をシール材でシールした状態を示す斜視図である。
【符号の説明】
１            ベランダ
２            壁
２１          開口部
２５          外壁材
３            枠（ドア枠）
３１          横側枠
３３          下側枠
４            防水材
４１          床の水平面に敷かれた防水シート
４２          垂直面に取り付けられた防水板
４５          縁材
５            カバー材
６            枠被覆材
６１          取付板
６２          化粧板
６３          シール材
【図１】
0004027532.tif 000002
【図２】
0004027532.tif 000003
【図３】
0004027532.tif 000004
【図４】
0004027532.tif 000005
【図５】
0004027532.tif 000006